(57)【要約】本開示の実施例が制御情報伝送リソースの上限の特定方法、装置及び通信機器を提供し、ここで、制御情報伝送リソースの上限の特定方法は、比例係数により、ＰＵＳＣＨで制御情報の符号化変調シンボルが占める伝送リソースの上限を特定することを含む。【選択図】図１
2021512547.tif 000002
【特許請求の範囲】
【請求項１】
制御情報伝送リソースの上限の特定方法であって、
比例係数により、ＰＵＳＣＨ（Ｐｈｙｓｉｃａｌ  Ｕｐｌｉｎｋ  Ｓｈａｒｅｄ  Ｃｈａｎｎｅｌ）で制御情報の符号化変調シンボルが占める伝送リソースの上限を特定することを含む、制御情報伝送リソースの上限の特定方法。
【請求項２】
前記比例係数は、基地局が上位層シグナリングによって設定した比例係数である、請求項１に記載の特定方法。
【請求項３】
前記比例係数は、０以上かつ１以下である、請求項１に記載の特定方法。
【請求項４】
異なるＵＣＩ（Ｕｐｌｉｎｋ  Ｃｏｎｔｒｏｌ  Ｉｎｆｏｒｍａｔｉｏｎ）のタイプが、それぞれ、１つの比例係数に対応し、
前記の比例係数により、ＰＵＳＣＨで制御情報の符号化変調シンボルが占める伝送リソースの上限を特定することは、
対応する比例係数により、ＰＵＳＣＨで異なるＵＣＩのタイプの制御情報の符号化変調シンボルが占める伝送リソースの上限を特定することを含む、請求項１に記載の特定方法。
【請求項５】
異なるＵＣＩのビット数が、それぞれ、１つの比例係数に対応し、
前記の比例係数により、ＰＵＳＣＨで制御情報の符号化変調シンボルが占める伝送リソースの上限を特定することは、
対応する比例係数により、ＰＵＳＣＨで異なるＵＣＩのビット数の制御情報の符号化変調シンボルが占める伝送リソースの上限を特定することを含む、請求項１に記載の特定方法。
【請求項６】
前記の比例係数により、ＰＵＳＣＨで制御情報の符号化変調シンボルが占める伝送リソースの上限を特定することは、
ＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）がＵＬ−ＳＣＨ（Ｕｐｌｉｎｋ  Ｓｈａｒｅｄ  Ｃｈａｎｎｅｌ）データのあるまたはないＰＵＳＣＨにマッピングされた場合、各トランスポートレイヤーにおけるＨＡＲＱ−ＡＣＫの符号化変調シンボルの数の上限を、
2021512547.tif 000123
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000124
ソースユニットセットであり、
2021512547.tif 000125
ルの数であり、全てのＤＭＲＳ（Ｄｅｍｏｄｕｌａｔｉｏｎ  Ｒｅｆｅｒｅｎｃｅ  Ｓｉｇｎａｌ）が占めるシンボルの数を含む、請求項１に記載の特定方法。
【請求項７】
前記の比例係数により、ＰＵＳＣＨで制御情報の符号化変調シンボルが占める伝送リソースの上限を特定することは、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000126
ここで、Ｘは、各トランスポートレイヤーにおける第１部分チャネル状態情報の符号化変調シンボルの数の上限値を表し、
ｒａｔｉｏは、比例係数を表し、
2021512547.tif 000127
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000128
ソースユニットセットであり、
2021512547.tif 000129
ットセットであり、
2021512547.tif 000130
ボルの数であり、全てのＤＭＲＳが占めるシンボルの数を含む、請求項１に記載の特定方法。
【請求項８】
前記の比例係数により、ＰＵＳＣＨで制御情報の符号化変調シンボルが占める伝送リソースの上限を特定することは、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000131
ここで、Ｘは、各トランスポートレイヤーにおける第２部分チャネル状態情報の符号化変調シンボルの数の上限値を表し、
ｒａｔｉｏは、比例係数を表し、
2021512547.tif 000132
トランスポートレイヤーにおける、ＨＡＲＱ−ＡＣＫ伝送用の符号化変調シンボルの数を表し、
2021512547.tif 000133
状態情報伝送用の符号化変調シンボルの数を表し、
2021512547.tif 000134
ットセットであり、
2021512547.tif 000135
ボルの数であり、全てのＤＭＲＳが占めるシンボルの数を含む、請求項１に記載の特定方法。
【請求項９】
2021512547.tif 000136
記載の特定方法。
【請求項１０】
通信機器であって、
メモリと、プロセッサと、前記メモリに記憶され、前記プロセッサで実行可能なプログラムとを含み、
ここで、前記プロセッサが前記プログラムを実行すると、
比例係数により、ＰＵＳＣＨで制御情報の符号化変調シンボルが占める伝送リソースの上限を特定することを実現する、通信機器。
【請求項１１】
前記比例係数は、基地局が上位層シグナリングによって設定した比例係数である、請求項１０に記載の通信機器。
【請求項１２】
前記比例係数は、０以上かつ１以下である、請求項１０に記載の通信機器。
【請求項１３】
異なるＵＣＩのタイプは、それぞれ、１つの比例係数に対応し、
前記プロセッサは、具体的に、
対応する比例係数により、ＰＵＳＣＨで異なるＵＣＩのタイプの制御情報の符号化変調シンボルが占める伝送リソースの上限を特定することに用いられる、請求項１０に記載の通信機器。
【請求項１４】
異なるＵＣＩのビット数は、それぞれ、１つの比例係数に対応し、
前記プロセッサは、具体的に、
対応する比例係数により、ＰＵＳＣＨで異なるＵＣＩのビット数の制御情報の符号化変調シンボルが占める伝送リソースの上限を特定することに用いられる、請求項１０に記載の通信機器。
【請求項１５】
前記プロセッサは、具体的に、
ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000137
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000138
ットセットであり、
2021512547.tif 000139
ルの数であり、全てのＤＭＲＳが占めるシンボルの数を含む、請求項１０に記載の通信機器。
【請求項１６】
前記プロセッサは、具体的に、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000140
ここで、Ｘは、各トランスポートレイヤーにおける第１部分チャネル状態情報の符号化変調シンボルの数の上限値を表し、
ｒａｔｉｏは、比例係数を表し、
2021512547.tif 000141
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000142
ソースユニットセットであり、
2021512547.tif 000143
ットセットであり、
2021512547.tif 000144
ボルの数であり、全てのＤＭＲＳが占めるシンボルの数を含む、請求項１０に記載の通信機器。
【請求項１７】
前記プロセッサは、具体的に、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000145
ここで、Ｘは、各トランスポートレイヤーにおける第２部分チャネル状態情報の符号化変調シンボルの数の上限値を表し、
ｒａｔｉｏは比例係数を表し、
2021512547.tif 000146
トランスポートレイヤーにおける、ＨＡＲＱ−ＡＣＫ伝送用の符号化変調シンボルの数を表し、
2021512547.tif 000147
2021512547.tif 000148
状態情報伝送用の符号化変調シンボルの数を表し、
2021512547.tif 000149
ットセットであり、
2021512547.tif 000150
ボルの数であり、全てのＤＭＲＳが占めるシンボルの数を含む、請求項１０に記載の通信機器。
【請求項１８】
2021512547.tif 000151
項に記載の通信機器。
【請求項１９】
コンピュータプログラムを記憶しているコンピュータ可読記憶媒体であって、
当該プロセッサによって実行されると、請求項１から請求項９のいずれか１項に記載の制御情報送信リソースの上限の特定方法のことを実現するコンピュータ可読記憶媒体。
【請求項２０】
制御情報伝送リソースの上限の特定装置であって、
比例係数により、ＰＵＳＣＨで制御情報の符号化変調シンボルが占める伝送リソースの上限を特定することに用いられる第１特定モジュールを含む、制御情報伝送リソースの上限の特定装置。
【発明の詳細な説明】
【技術分野】
【０００１】（関連出願の相互参照）
本出願は、２０１８年１月１１日に中国で出願された中国特許出願番号２０１８１００２７４５０．８の優先権及び２０１８年１月１２日に中国で出願された中国特許出願番号２０１８１００３２４９３．５の優先権を主張し、その全体は、参照により本明細書に組み込まれる。【０００２】  本発明は、通信技術分野に関し、特に、制御情報伝送リソースの上限の特定方法、装置及び通信機器に関する。
【背景技術】
【０００３】  移動通信サービスの需要の発展に伴い、国際電気通信連合（Ｉｎｔｅｒｎａｔｉｏｎａｌ  Ｔｅｌｅｃｏｍｍｕｎｉｃａｔｉｏｎ  Ｕｎｉｏｎ、ＩＴＵ）や３ＧＰＰ等の団体は、新しい無線通信システム（例えば、５Ｇ  ＮＲ、５  Ｇｅｎｅｒａｔｉｏｎ  Ｎｅｗ  ＲＡＴ）の研究を開始している。関連した技術における従来の５Ｇでは、ＰＵＳＣＨ（Ｐｈｙｓｉｃａｌ  Ｕｐｌｉｎｋ  Ｓｈａｒｅｄ  Ｃｈａｎｎｅｌ）で制御情報を伝送する場合、具体的なリソース特定方法（ＮＲ通信システムでは、ＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）とＡ−ＣＳＩ（Ａｐｅｒｉｏｄｉｃ  Ｃｈａｎｎｅｌ  Ｓｔａｔｅ  Ｉｎｆｏｒｍａｔｉｏｎ）のいずれもＰＵＳＣＨで伝送できる）があるが、一部のシナリオでは、関連した技術の方法を用いて制御情報リソースを計算するときに、全てのＰＵＳＣＨリソースがある１つの制御情報によって占められ、ＵＬ−ＳＣＨデータまたは他の制御情報を伝送できない状況が生じる。【０００４】  例えば、ＵＬ−ＳＣＨデータがあるＰＵＳＣＨにＨＡＲＱ−ＡＣＫがマッピングされた場合、ＨＡＲＱ−ＡＣＫのビット数がＵＬ−ＳＣＨデータのビット数よりも大きく、仮にＨＡＲＱ−ＡＣＫのビット数が６４、ＵＬ−ＳＣＨデータのビット数が４０であるとすると、算出されたＨＡＲＱ−ＡＣＫの符号化変調シンボルの数は、式における上限値、すなわち、全てのＰＵＳＣＨリソースがＨＡＲＱ−ＡＣＫ伝送に使用されることになる。基地局がＨＡＲＱ−ＡＣＫとＵＬ−ＳＣＨデータを同時に伝送しようとすると、ユーザにより多くの物理リソースブロックＰＲＢ数を割り当てる必要があるが、関連した技術の式によれば、基地局がユーザにより多くのＰＲＢ数を割り当てたとしても、ユーザは全てのＰＲＢをＨＡＲＱ−ＡＣＫ伝送に使用することになり、ＵＬ−ＳＣＨデータを伝送することができない。【０００５】  類似の状況は、以下の３場合にも存在し、すなわち、ＵＬ−ＳＣＨデータがないＰＵＳＣＨにＨＡＲＱ−ＡＣＫがマッピングされ、ＣＳＩ（Ｃｈａｎｎｅｌ  Ｓｔａｔｅ  Ｉｎｆｏｒｍａｔｉｏｎ）を同時に伝送することができない可能性がある場合、ＵＬ−ＳＣＨデータがあるＰＵＳＣＨにＣＳＩ  ｐａｒｔ１（第１部分チャネル状態情報）がマッピングされ、ＵＬ−ＳＣＨデータとＣＳＩ  ｐａｒｔ２（第２部分チャネル状態情報）を同時に伝送できない可能性がある場合、または、ＵＬ−ＳＣＨデータがあるＰＵＳＣＨにＣＳＩ  ｐａｒｔ２がマッピングされ、ＵＬ−ＳＣＨデータを同時に伝送できない可能性がある場合。
【発明の概要】
【０００６】  本開示の実施例は、制御情報伝送リソースの上限の特定方法を提供する。
当該特定方法において、
比例係数により、ＰＵＳＣＨ（Ｐｈｙｓｉｃａｌ  Ｕｐｌｉｎｋ  Ｓｈａｒｅｄ  Ｃｈａｎｎｅｌ）で制御情報の符号化変調シンボルが占める伝送リソースの上限を特定することを含む。
【０００７】  選択的に、前記比例係数は、基地局が上位層シグナリングによって設定した比例係数である。
【０００８】  選択的に、前記比例係数は、０以上かつ１以下である。
【０００９】  選択的に、異なるＵＣＩ（Ｕｐｌｉｎｋ  Ｃｏｎｔｒｏｌ  Ｉｎｆｏｒｍａｔｉｏｎ）のタイプが、それぞれ、１つの比例係数に対応し、
前記の比例係数により、ＰＵＳＣＨで制御情報の符号化変調シンボルが占める伝送リソースの上限を特定することは、
対応する比例係数により、ＰＵＳＣＨで異なるＵＣＩのタイプの制御情報の符号化変調シンボルが占める伝送リソースの上限を特定することを含む。
【００１０】  選択的に、異なるＵＣＩのビット数が、それぞれ、１つの比例係数に対応し、
前記の比例係数により、ＰＵＳＣＨで制御情報の符号化変調シンボルが占める伝送リソースの上限を特定することは、
対応する比例係数により、ＰＵＳＣＨで異なるＵＣＩのビット数の制御情報の符号化変調シンボルが占める伝送リソースの上限を特定することを含む。
【００１１】  選択的に、前記の比例係数により、ＰＵＳＣＨで制御情報の符号化変調シンボルが占める伝送リソースの上限を特定することは、
ＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）がＵＬ−ＳＣＨ（Ｕｐｌｉｎｋ  Ｓｈａｒｅｄ  Ｃｈａｎｎｅｌ）データのあるまたはないＰＵＳＣＨにマッピングされた場合、各トランスポートレイヤーにおけるＨＡＲＱ−ＡＣＫの符号化変調シンボルの数の上限を、
2021512547.tif 000003
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000004
ソースユニットセットであり、
2021512547.tif 000005
ルの数であり、全てのＤＭＲＳ（Ｄｅｍｏｄｕｌａｔｉｏｎ  Ｒｅｆｅｒｅｎｃｅ  Ｓｉｇｎａｌ）が占めるシンボルの数を含む。
【００１２】  選択的に、前記の比例係数により、ＰＵＳＣＨで制御情報の符号化変調シンボルが占める伝送リソースの上限を特定することは、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000006
ここで、Ｘは、各トランスポートレイヤーにおける第１部分チャネル状態情報の符号化変調シンボルの数の上限値を表し、
ｒａｔｉｏは、比例係数を表し、
2021512547.tif 000007
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000008
ソースユニットセットであり、
2021512547.tif 000009
ットセットであり、
2021512547.tif 000010
ンボルの数であり、全てのＤＭＲＳが占めるシンボルの数を含む。
【００１３】  選択的に、前記の比例係数により、ＰＵＳＣＨで制御情報の符号化変調シンボルが占める伝送リソースの上限を特定することは、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000011
ここで、Ｘは、各トランスポートレイヤーにおける第２部分チャネル状態情報の符号化変調シンボルの数の上限値を表し、
ｒａｔｉｏは、比例係数を表し、
2021512547.tif 000012
トランスポートレイヤーにおける、ＨＡＲＱ−ＡＣＫ伝送用の符号化変調シンボルの数を表し、
2021512547.tif 000013
状態情報伝送用の符号化変調シンボルの数を表し、
2021512547.tif 000014
ットセットであり、
2021512547.tif 000015
ボルの数であり、全てのＤＭＲＳが占めるシンボルの数を含む。
【００１４】
2021512547.tif 000016
【００１５】  本開示は、通信機器をさらに提供する。
当該通信機器において、
メモリと、プロセッサと、前記メモリに記憶され、前記プロセッサで実行可能なプログラムとを含み、
ここで、前記プロセッサが前記プログラムを実行すると、
比例係数により、ＰＵＳＣＨで制御情報の符号化変調シンボルが占める伝送リソースの上限を特定することを実現する
【００１６】  前記比例係数は、基地局が上位層シグナリングによって設定した比例係数である。
【００１７】  選択的に、前記比例係数は、０以上かつ１以下である。
【００１８】  選択的に、異なるＵＣＩのタイプが、それぞれ、１つの比例係数に対応し、
前記プロセッサは、具体的に、
対応する比例係数により、ＰＵＳＣＨで異なるＵＣＩのタイプの制御情報の符号化変調シンボルが占める伝送リソースの上限を特定することに用いられる。
【００１９】  選択的に、異なるＵＣＩのビット数が、それぞれ、１つの比例係数に対応し、
前記プロセッサは、具体的に、
対応する比例係数により、ＰＵＳＣＨで異なるＵＣＩのビット数の制御情報の符号化変調シンボルが占める伝送リソースの上限を特定することに用いられる。
【００２０】  選択的に、前記プロセッサは、具体的に、
ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000017
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000018
トセットであり、
2021512547.tif 000019
ボルの数であり、全てのＤＭＲＳが占めるシンボルの数を含む。
【００２１】  選択的に、前記プロセッサは、具体的に、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000020
ここで、Ｘは、各トランスポートレイヤーにおける第１部分チャネル状態情報の符号化変調シンボルの数の上限値を表し、
ｒａｔｉｏは、比例係数を表し、
2021512547.tif 000021
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000022
ソースユニットセットであり、
2021512547.tif 000023
トセットであり、
2021512547.tif 000024
ルの数であり、全てのＤＭＲＳが占めるシンボルの数を含む。
【００２２】  選択的に、前記プロセッサは具体的に、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000025
ここで、Ｘは、各トランスポートレイヤーにおける第２部分チャネル状態情報の符号化変調シンボルの数の上限値を表し、
ｒａｔｉｏは、比例係数を表し、
2021512547.tif 000026
ランスポートレイヤーにおける、ＨＡＲＱ−ＡＣＫ伝送用の符号化変調シンボルの数を表し、
2021512547.tif 000027
状態情報伝送用の符号化変調シンボルの数を表し、
2021512547.tif 000028
2021512547.tif 000029
トセットであり、
2021512547.tif 000030
ボルの数であり、全てのＤＭＲＳが占めるシンボルの数を含む。
【００２３】
2021512547.tif 000031
【００２４】  本開示は、コンピュータ可読記憶媒体をさらに提供する。
当該コンピュータ可読記憶媒体において、
プロセッサによって実行されると、上記制御情報送信リソースの上限の特定方法を実現するコンピュータプログラムを記憶している。
【００２５】  本開示は、制御情報伝送リソースの上限の特定装置をさらに提供する。
当該特定装置において、
比例係数により、ＰＵＳＣＨで制御情報の符号化変調シンボルが占める伝送リソースの上限を特定することに用いられる第１特定モジュールを含む。
【００２６】  前記比例係数は、プロトコルにおいて予め定義され、または、基地局が上位層シグナリングによって設定した比例係数である。
【００２７】  選択的に、前記比例係数は、０以上かつ１以下である。
【００２８】  選択的に、異なるＵＣＩのタイプが、それぞれ、１つの比例係数に対応し、
前記第１特定モジュールは、
対応する比例係数により、ＰＵＳＣＨで異なるＵＣＩのタイプの制御情報の符号化変調シンボルが占める伝送リソースの上限を特定することに用いられる第１特定サブモジュールを含む。
【００２９】  選択的に、異なるＵＣＩのビット数が、それぞれ、１つの比例係数に対応し、
前記第１特定モジュールは、
対応する比例係数により、ＰＵＳＣＨで異なるＵＣＩのビット数の制御情報の符号化変調シンボルが占める伝送リソースの上限を特定することに用いられる第２特定サブモジュールを含む。
【００３０】  選択的に、前記第１特定モジュールは、
ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000032
ルを含み、
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000033
ットセットであり、
2021512547.tif 000034
ルの数であり、全てのＤＭＲＳが占めるシンボルの数を含む。
【００３１】  選択的に、前記第１特定モジュールは、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000035
ブモジュールを含み、
ここで、Ｘは、各トランスポートレイヤーにおける第１部分チャネル状態情報の符号化変調シンボルの数の上限値を表し、
ｒａｔｉｏは、比例係数を表し、
2021512547.tif 000036
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000037
ソースユニットセットであり、
2021512547.tif 000038
ットセットであり、
2021512547.tif 000039
ボルの数であり、全てのＤＭＲＳが占めるシンボルの数を含む。
【００３２】  選択的に、前記第１特定モジュールは、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000040
サブモジュールを含み、
ここで、Ｘは、各トランスポートレイヤーにおける第２部分チャネル状態情報の符号化変調シンボルの数の上限値を表し、
ｒａｔｉｏは、比例係数を表し、
2021512547.tif 000041
トランスポートレイヤーにおける、ＨＡＲＱ−ＡＣＫ伝送用の符号化変調シンボルの数を表し、
2021512547.tif 000042
状態情報伝送用の符号化変調シンボルの数を表し、
2021512547.tif 000043
ットセットであり、
2021512547.tif 000044
ボルの数であり、全てのＤＭＲＳが占めるシンボルの数を含む。
【００３３】
2021512547.tif 000045
【図面の簡単な説明】
【００３４】
【図１】本開示の実施例に係る制御情報伝送リソースの上限の特定方法のフローを示す模式図である。
【図２】本開示の実施例に係る通信機器の構成を示す模式図である。
【図３】本開示の実施例に係る制御情報伝送リソースの上限の特定装置の構成を示す模式図である。
【発明を実施するための形態】
【００３５】  本開示の技術的思想および特徴をより明確にするために、添付の図面および特定の実施例を参照して以下に詳細に説明する。
【００３６】  本開示は、関連した技術で全てのＰＵＳＣＨリソースが、ある１つの制御情報によって占められたため、ＵＬ−ＳＣＨデータまたは他の制御情報を伝送できなくなる問題点に対処し、端末または基地局に適用可能な制御情報伝送リソースの上限の特定方法を提供する。
図１に示すように、前記特定方法は、ステップ１１ことを含む。
ステップ１１：比例係数により、ＰＵＳＣＨで制御情報の符号化変調シンボルが占める伝送リソースの上限を特定する。
【００３７】  本開示の実施例が提供する前記制御情報伝送リソースの上限の特定方法は、比例係数により、ＰＵＳＣＨで制御情報の符号化変調シンボルが占める伝送リソースの上限を特定することにより、ＰＵＳＣＨ上の全てのリソース要素ＲＥリソースが、ある１つの制御情報によって占められることを回避でき、しかも、関連した技術における全てのＰＵＳＣＨリソースがある１つの制御情報によって占められたためＵＬ−ＳＣＨデータまたは他の制御情報を伝送できなくなるという問題点を解決する。
【００３８】  前記比例係数は、プロトコルにおいて予め定義され、または、基地局が上位層シグナリングによって設定した比例係数である。
【００３９】  比例係数は基地局が上位層シグナリングによって設定した比例係数である場合、基地局は比例係数を端末に送信する必要があり、端末はそれを受信した後、受信した比例係数により、ＰＵＳＣＨで制御情報の符号化変調シンボルが占める伝送リソースの上限を特定する。
【００４０】  選択的に、前記比例係数は、０以上かつ１以下である。
【００４１】  本開示の実施例において、異なるＵＣＩのタイプは、それぞれ、１つの比例係数に対応し、または異なるＵＣＩのビット数は、それぞれ、１つの比例係数に対応する。
【００４２】  異なるＵＣＩのタイプは、それぞれ、１つの比例係数に対応する前者の場合に、前記の比例係数により、ＰＵＳＣＨで制御情報の符号化変調シンボルが占める伝送リソースの上限を特定するステップは、
対応する比例係数により、ＰＵＳＣＨで異なるＵＣＩのタイプの制御情報の符号化変調シンボルが占める伝送リソースの上限を特定することを含む。
【００４３】  異なるＵＣＩのビット数は、それぞれ、１つの比例係数に対応する後者の場合に、前記の比例係数により、ＰＵＳＣＨで制御情報の符号化変調シンボルが占める伝送リソースの上限を特定するステップは、
対応する比例係数により、ＰＵＳＣＨで異なるＵＣＩのビット数の制御情報の符号化変調シンボルが占める伝送リソースの上限を特定することを含む。
【００４４】  本開示の実施例は、ステップ１１の具体的な実施のために、以下の３つの例を提供する。
【００４５】  一番目の例として、前記の比例係数により、ＰＵＳＣＨで制御情報の符号化変調シンボルが占める伝送リソースの上限を特定するステップは、
ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000046
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000047
可能なリソースユニットセットであり、
2021512547.tif 000048
ルの数であり、全ての復調用参照信号ＤＭＲＳが占めるシンボルの数を含む。
【００４６】  二番目の例としては、前記の比例係数により、ＰＵＳＣＨで制御情報の符号化変調シンボルが占める伝送リソースの上限を特定するステップは、
第１部分ＣＳＩ  ｐａｒｔ１がＵＬ−ＳＣＨデータのあるＰＵＳＣＨにマッピングされた場合、各トランスポートレイヤーにおける第１部分チャネル状態情報の符号化変調シンボルの数の上限を
2021512547.tif 000049
ここで、Ｘは、各トランスポートレイヤーにおける第１部分チャネル状態情報の符号化変調シンボルの数の上限値を表し、
ｒａｔｉｏは、比例係数を表し、
2021512547.tif 000050
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000051
伝送し得る予約リソースユニットセットであり、
2021512547.tif 000052
可能なリソースユニットセットであり、
2021512547.tif 000053
ボルの数であり、全ての復調用参照信号ＤＭＲＳが占めるシンボルの数を含む。
【００４７】  三番目の例として、前記の比例係数により、ＰＵＳＣＨで制御情報の符号化変調シンボルが占める伝送リソースの上限を特定するステップは、
第２部分ＣＳＩ  ｐａｒｔ２がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000054
ここで、Ｘは、各トランスポートレイヤーにおける第２部分チャネル状態情報の符号化変調シンボルの数の上限値を表し、
ｒａｔｉｏは、比例係数を表し、
2021512547.tif 000055
ランスポートレイヤーにおける、ＨＡＲＱ−ＡＣＫ伝送用の符号化変調シンボルの数を表し、
2021512547.tif 000056
伝送用の符号化変調シンボルの数を表し、
2021512547.tif 000057
能なリソースユニットセットであり、
2021512547.tif 000058
ボルの数であり、全ての復調用参照信号ＤＭＲＳが占めるシンボルの数を含む。
2021512547.tif 000059
【００４８】  以下、本開示の実施例に係る制御情報伝送リソースの上限の特定方法についてさらに説明する。
【００４９】  上記課題に対し、本発明の実施例は、（基地局または端末に適用可能な）制御情報伝送リソースの上限の特定方法を提供し、比例係数によりＰＵＳＣＨで制御情報の符号化変調シンボルが占める伝送リソースの上限を特定することにより、ＰＵＳＣＨ上の全てのＲＥリソースがある１つの制御情報によって占められる状況を回避する。
【００５０】  本開示の実施例が提供する手段はおもに比例係数ｒａｔｉｏによりＰＵＳＣＨで制御情報の符号化変調シンボルが占める伝送リソースの上限を特定することであり、それは具体的に、以下の内容を具体的に含む。
【００５１】  （１）ｒａｔｉｏは、プロトコルにおいて予め定義され、または上位層シグナリングによって設定された比例係数であり、ｒａｔｉｏの値は、０から１の間の値を取るが、ｒａｔｉｏが１に等しい場合を除外しない。
ここで、ｒａｔｉｏが上位層レイヤシグナリングによって設定された比例係数である場合、基地局は端末に通知する必要がある。
【００５２】  （２）異なるＵＣＩのタイプに対応するｒａｔｉｏ値は、同じまたは異なるものであり、異なるＵＣＩのビット数に対応するｒａｔｉｏ値は、同じまたは異なるものであってもよいし、
異なるＵＣＩのタイプは、それぞれ、１つの比例係数に対応するものであり、または異なるＵＣＩのビット数は、それぞれ、１つの比例係数に対応するものであってもよい。
【００５３】  （３）ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000060
Ｘは、各トランスポートレイヤーにおけるＨＡＲＱ−ＡＣＫの符号化変調シンボルの数の上限値を表し、
2021512547.tif 000061
トセットであり、
2021512547.tif 000062
ボルの数であり、全てのＤＭＲＳが占めるシンボルの数を含む。
【００５４】
2021512547.tif 000063
。
【００５５】  （４）ＣＳＩ  ｐａｒｔ１がＵＬ−ＳＣＨデータのあるＰＵＳＣＨにマッピングされた場合、各トランスポートレイヤーにおけるＣＳＩ  ｐａｒｔ１の符号化変調シンボルの数の上限を、
2021512547.tif 000064
Ｘは、各トランスポートレイヤーにおけるＣＳＩ  ｐａｒｔ１の符号化変調シンボルの数の上限値を表し、
2021512547.tif 000065
ランスポートレイヤーにおける、ＨＡＲＱ−ＡＣＫ伝送用の符号化変調シンボルの数であり、
ＨＡＲＱ−ＡＣＫの情報ビット数が１または２である場合、
2021512547.tif 000066
ソースユニットセットであり、
2021512547.tif 000067
トセットであり、
2021512547.tif 000068
ボルの数であり、全てのＤＭＲＳが占めるシンボルの数を含む。
【００５６】
2021512547.tif 000069
2021512547.tif 000070
。
【００５７】  （５）ＣＳＩ  ｐａｒｔ２がＵＬ−ＳＣＨデータのあるＰＵＳＣＨにマッピングされた場合、各トランスポートレイヤーにおけるＣＳＩ  ｐａｒｔ２の符号化変調シンボルの数の上限を、
2021512547.tif 000071
Ｘは、各トランスポートレイヤーにおけるＣＳＩ  ｐａｒｔ２の符号化変調シンボルの数の上限値を表し、
2021512547.tif 000072
ランスポートレイヤーにおける、ＨＡＲＱ−ＡＣＫ伝送用の符号化変調シンボルの数であり、
2021512547.tif 000073
用の符号化変調シンボルの数であり、
2021512547.tif 000074
ットセットであり、
2021512547.tif 000075
ンボルの数であり、全てのＤＭＲＳが占めるシンボルの数を含む。
【００５８】
2021512547.tif 000076
。
【００５９】  以下、本開示の実施例による手段を例示する。
【００６０】  例１
基地局が無線リソース制御ＲＲＣシグナリングによってＰＵＳＣＨでＨＡＲＱ−ＡＣＫ情報を伝送するように設定する場合のｒａｔｉｏ係数は０．２であり、ＰＵＳＣＨでＣＳＩ  ｐａｒｔ１情報を伝送する場合のｒａｔｉｏ係数いずれも０．４であり、ＰＵＳＣＨでＣＳＩ  ｐａｒｔ２情報を伝送する場合のｒａｔｉｏ係数いずれも０．６であると仮定して、基地局が、１４個のＯＦＤＭシンボルと２個のリソースブロックＲＢリソースを今回のＰＵＳＣＨ伝送に割り当てた場合、３番目のＯＦＤＭシンボルを復調参照信号ＤＭＲ
2021512547.tif 000077
ＰＵＳＣＨでＨＡＲＱ−ＡＣＫ、ＣＳＩ  ｐａｒｔ１、ＣＳＩ  ｐａｒｔ２及びＵＬ−ＳＣＨデータが多重伝送された場合、
各トランスポートレイヤーにおけるＨＡＲＱ−ＡＣＫの符号化変調シンボルの数の上限Ｘ１を、
2021512547.tif 000078
したがって、ＰＵＳＣＨにおける、ＨＡＲＱ−ＡＣＫ伝送に利用可能なＲＥリソースの
2021512547.tif 000079
各トランスポートレイヤーにおけるＣＳＩ  ｐａｒｔ１の符号化変調シンボルの数の上限値Ｘ２を、
2021512547.tif 000080
したがって、ＰＵＳＣＨにおける、ＣＳＩ  ｐａｒｔ１伝送に利用可能なＲＥリソース
2021512547.tif 000081
各トランスポートレイヤーにおけるＣＳＩ  ｐａｒｔ２の符号化変調シンボルの数の上限Ｘ３を、
2021512547.tif 000082
したがって、ＰＵＳＣＨにおける、ＣＳＩ  ｐａｒｔ２伝送に利用可能なＲＥリソース
2021512547.tif 000083
上記した制御情報伝送に利用されるＲＥリソースを除き、残りの合計３１２−６３−６２−６３＝１２４個のＲＥリソースがＵＬ−ＳＣＨデータ伝送に利用され得る。
【００６１】  例２
基地局がＲＲＣシグナリングによってＰＵＳＣＨでＨＡＲＱ−ＡＣＫ情報を伝送するように設定する場合のｒａｔｉｏ係数いずれも０．２であり、ＰＵＳＣＨでＣＳＩ  ｐａｒｔ１情報を伝送する場合のｒａｔｉｏ係数いずれも０．３であり、ＰＵＳＣＨでＣＳＩ  ｐａｒｔ２情報を伝送する場合のｒａｔｉｏ係数いずれも０．４であると仮定して、基地局が、１４個のＯＦＤＭシンボルと２個のＲＢリソースを今回のＰＵＳＣＨ伝送に割り当てた場合、３番目のＯＦＤＭシンボルをＤＭＲＳが占めるとすると、
2021512547.tif 000084
なり、
ＰＵＳＣＨでＨＡＲＱ−ＡＣＫ、ＣＳＩ  ｐａｒｔ１、ＣＳＩ  ｐａｒｔ２及びＵＬ−ＳＣＨデータが多重伝送された場合、
各トランスポートレイヤーにおけるＨＡＲＱ−ＡＣＫの符号化変調シンボルの数の上限Ｘ１を
2021512547.tif 000085
したがって、ＰＵＳＣＨにおける、ＨＡＲＱ−ＡＣＫ伝送に利用可能なＲＥリソースの
2021512547.tif 000086
各トランスポートレイヤーにおけるＣＳＩ  ｐａｒｔ１の符号化変調シンボルの数の上限Ｘ２を
2021512547.tif 000087
したがって、ＰＵＳＣＨにおける、ＣＳＩ  ｐａｒｔ１伝送に利用可能なＲＥリソース
2021512547.tif 000088
各トランスポートレイヤーにおけるＣＳＩ  ｐａｒｔ２の符号化変調シンボルの数の上限Ｘ３を、
2021512547.tif 000089
したがって、ＰＵＳＣＨにおける、ＣＳＩ  ｐａｒｔ２伝送に利用可能なＲＥリソース
2021512547.tif 000090
上記した制御情報伝送に利用されるＲＥリソースを除き、残りの合計３１２−６３−７５−７０＝１０４個のＲＥリソースがＵＬ−ＳＣＨデータ伝送に利用され得る。
【００６２】  例３
基地局がＲＲＣシグナリングによってＰＵＳＣＨで制御情報を伝送するように設定する場合のｒａｔｉｏは０．５であると仮定して、ＨＡＲＱ−ＡＣＫがＵＬ−ＳＣＨデータのあるＰＵＳＣＨに伝送された場合、各トランスポートレイヤーにおけるＨＡＲＱ−ＡＣＫの符号化変調シンボルの数の上限Ｘ１を、
2021512547.tif 000091
基地局が、１４個のＯＦＤＭシンボルと２個のＲＢリソースを今回のＰＵＳＣＨ伝送に割り当てた場合、３番目のＯＦＤＭシンボルをＤＭＲＳが占めるとすると、
2021512547.tif 000092
り、
2021512547.tif 000093
ＳＣＨにおける、ＨＡＲＱ−ＡＣＫ伝送に利用可能なＲＥリソースの数は
2021512547.tif 000094
に利用可能である。
【００６３】  以上のことから、関連した技術における５ＧでＰＵＳＣＨで制御情報を伝送する場合、部分シナリオで関連した技術における方法を用いて制御情報リソースを算出するとき、全てのＰＵＳＣＨリソースがある１つの制御情報によって占められたためＵＬ−ＳＣＨデータまたは他の制御情報を伝送できなくなる問題点が生じる可能性がある。それに対して、本発明の実施例が提供する手段は、ＰＵＳＣＨ上の全てのＲＥリソースがある１つの制御情報によって占められる状況を回避し、ＮＲにおいてＰＵＳＣＨで制御情報とデータとを正しく多重伝送することを可能にし、ＮＲシステムの性能を保証する。
【００６４】  当業者であれば、上記の実施例を実行するステップの全てまたは一部は、ハードウェアによって実行されてもよければ、上記の方法のステップの一部または全てを実行する命令を含むコンピュータープログラムにより関連ハードウレアを指示してそれらのステップを実行してもよく、また、そのコンピュータプログラムは、任意の形式の記憶媒体であってもよい可読な記憶媒体に記憶されている。
【００６５】  本開示は、通信機器（端末または基地局であってもよい）を提供する。
図２に示すように、当該通信機器において、
メモリ２１と、プロセッサ２２と、前記メモリ２１に記憶され、前記プロセッサ２２で実行可能なプログラム２３とを含み、
前記プロセッサが前記プログラムを実行すると、
比例係数により、ＰＵＳＣＨで制御情報の符号化変調シンボルが占める伝送リソースの上限を特定するステップを実現する。
【００６６】  本開示が提供する通信機器は、比例係数により、ＰＵＳＣＨで制御情報の符号化変調シンボルが占める伝送リソースの上限を特定することにより、ＰＵＳＣＨ上の全てのリソース要素ＲＥリソースが、ある１つの制御情報で占られることを回避でき、しかも、関連した技術における全てのＰＵＳＣＨリソースがある１つの制御情報に占られたためＵＬ−ＳＣＨデータまたは他の制御情報を伝送できなくなるという問題点を解決する。
【００６７】  前記比例係数は、プロトコルにおいて予め定義され、または、基地局が上位層シグナリングによって設定した比例係数である。
【００６８】  前記通信機器が端末とすると、比例係数が基地局が上位層シグナリングによって設定したものである場合に対応して、本案は、基地局が送信した比例係数を受信することをさらに含む。
【００６９】  前記通信機器が基地局とすると、比例係数が基地局が上位層シグナリングによって設定したものである場合に対応して、本案は、上位層シグナリングによって比例係数を設定して、端末に送信することをさらに含む。
【００７０】  手段が送受信動作に関する場合、通信機器は、送信機及び受信機を含む複数の要素であってもよく、伝送媒体で様々な他の機器と通信するためのユニットを提供する送受信機を更に含んでもよい。
【００７１】  選択的に、前記比例係数は、０以上かつ１以下である。
【００７２】  本開示の実施例において、異なるＵＣＩのタイプは、それぞれ、１つの比例係数に対応し、または異なるＵＣＩのビット数は、それぞれ、１つの比例係数に対応する。
【００７３】  異なるＵＣＩのタイプは、それぞれ、１つの比例係数に対応する前者の場合に、前記プロセッサは、具体的に、対応する比例係数により、ＰＵＳＣＨで異なるＵＣＩのタイプの制御情報の符号化変調シンボルが占める伝送リソースの上限を特定することに用いられる。
【００７４】  異なるＵＣＩのビット数は、それぞれ、１つの比例係数に対応する後者の場合に、前記プロセッサは、具体的に、対応する比例係数により、ＰＵＳＣＨで異なるＵＣＩのビット数の制御情報の符号化変調シンボルが占める伝送リソースの上限を特定することに用いられる。
【００７５】  本開示は、「比例係数により、ＰＵＳＣＨで制御情報の符号化変調シンボルが占める伝送リソースの上限を特定すること」の具体的な実現のために、以下の３つの例を提供する。
【００７６】  一番目の例として、前記プロセッサは、具体的に、ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000095
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000096
可能なリソースユニットセットであり、
2021512547.tif 000097
ルの数であり、全ての復調用参照信号ＤＭＲＳが占めるシンボルの数を含む。
【００７７】  二番目の例として、前記プロセッサは、具体的に、第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000098
ここで、Ｘは、各トランスポートレイヤーにおける第１部分チャネル状態情報の符号化変調シンボルの数の上限値を表し、
ｒａｔｉｏは、比例係数を表し、
2021512547.tif 000099
トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000100
を伝送し得る予約リソースユニットセットであり、
2021512547.tif 000101
可能なリソースユニットセットであり、
2021512547.tif 000102
ルの数であり、全ての復調用参照信号ＤＭＲＳが占めるシンボルの数を含む。
【００７８】  三番目の例として、前記プロセッサは、具体的に、第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000103
ここで、Ｘは、各トランスポートレイヤーにおける第２部分チャネル状態情報の符号化変調シンボルの数の上限値を表し、
ｒａｔｉｏは、比例係数を表し、
2021512547.tif 000104
ランスポートレイヤーにおける、ＨＡＲＱ−ＡＣＫ伝送用の符号化変調シンボルの数を表し、
2021512547.tif 000105
状態情報伝送用の符号化変調シンボルの数を表し、
2021512547.tif 000106
可能なリソースユニットセットであり、
2021512547.tif 000107
ボルの数であり、全ての復調用参照信号ＤＭＲＳが占めるシンボルの数を含み、
2021512547.tif 000108
【００７９】  ここで、上記制御情報伝送リソースの上限の特定方法の前記実施例のいずれも、該通信機器の実施例に適用でき、同様の効果を奏する。
【００８０】  本開示の実施例は、コンピュータプログラムを記憶しているコンピュータ可読記憶媒体をさらに提供する。
当該コンピュータ可読記憶媒体において、
プロセッサによって実行されると、上記の制御情報送信リソースの上限の特定方法のステップを実現する。
【００８１】  ここで、上記制御情報伝送リソースの上限の特定方法の上記実施例のいずれも、該コンピュータ可読記憶媒体の実施例に適用でき、同様の技術的効果を奏する。
【００８２】  本開示は、制御情報伝送リソースの上限の特定装置をさらに提供する。
図３が示すように、当該特定装置は、
比例係数により、ＰＵＳＣＨで制御情報の符号化変調シンボルが占める伝送リソースの上限を特定することに用いられる第１特定モジュール３１を含む。
【００８３】  本開示が提供する制御情報伝送リソースの上限の特定装置は、比例係数により、ＰＵＳＣＨで制御情報の符号化変調シンボルが占める伝送リソースの上限を特定することにより、ＰＵＳＣＨ上の全てのリソース要素ＲＥリソースが、ある１つの制御情報で占られることを回避でき、しかも、関連した技術における全てのＰＵＳＣＨリソースがある１つの制御情報に占られたためＵＬ−ＳＣＨデータまたは他の制御情報を伝送できなくなるという問題点を解決する。
【００８４】  前記比例係数は、プロトコルにおいて予め定義され、または、基地局が上位層シグナリングによって設定した比例係数である。
【００８５】  比例係数は基地局が上位層シグナリングによって設定した比例係数である場合、基地局は比例係数を端末に送信する必要があり、端末はそれを受信した後、受信した比例係数によりＰＵＳＣＨで制御情報の符号化変調シンボルが占める伝送リソースの上限を特定する。
【００８６】  選択的に、前記比例係数は、０以上かつ１以下である。
【００８７】  本開示の実施例において、異なるＵＣＩのタイプは、それぞれ、１つの比例係数に対応し、または異なるＵＣＩのビット数は、それぞれ、１つの比例係数に対応する。
【００８８】  異なるＵＣＩのタイプは、それぞれ、１つの比例係数に対応する前者の場合に、前記第１特定モジュールは、対応する比例係数により、ＰＵＳＣＨで異なるＵＣＩのタイプの制御情報の符号化変調シンボルが占める伝送リソースの上限を特定することに用いられる第１特定サブモジュールを含む。
【００８９】  異なるＵＣＩのビット数は、それぞれ、１つの比例係数に対応する後者の場合に、前記第１特定モジュールは、対応する比例係数により、ＰＵＳＣＨで異なるＵＣＩのビット数の制御情報の符号化変調シンボルが占める伝送リソースの上限を特定することに用いられる第２特定サブモジュールを含む。
【００９０】  本開示の実施例は、第１特定モジュール３１の具体的な実現のために、以下の３つの例を提供する。
【００９１】  一番目の例として、第１特定モジュールは、ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000109
ルを含み、
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000110
可能なリソースユニットセットであり、
2021512547.tif 000111
の数であり、全ての復調用参照信号ＤＭＲＳが占めるシンボルの数を含む。
【００９２】  二番目の例として、第１特定モジュールは、第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000112
サブモジュールを含み、
ここで、Ｘは、各トランスポートレイヤーにおける第１部分チャネル状態情報の符号化変調シンボルの数の上限値を表し、
ｒａｔｉｏは、比例係数を表し、
2021512547.tif 000113
ランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000114
伝送し得る予約リソースユニットセットであり、
2021512547.tif 000115
可能なリソースユニットセットであり、
2021512547.tif 000116
ボルの数であり、全ての復調用参照信号ＤＭＲＳが占めるシンボルの数を含む。
【００９３】  三番目の例として、第１特定モジュールは、第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000117
特定サブモジュールを含み、
ここで、Ｘは、各トランスポートレイヤーにおける第２部分チャネル状態情報の符号化変調シンボルの数の上限値を表し、
ｒａｔｉｏは、比例係数を表し、
2021512547.tif 000118
ランスポートレイヤーにおける、ＨＡＲＱ−ＡＣＫ伝送用の符号化変調シンボルの数を表し、
2021512547.tif 000119
状態情報伝送用の符号化変調シンボルの数を表し、
2021512547.tif 000120
能なリソースユニットセットであり、
2021512547.tif 000121
ルの数であり、全ての復調用参照信号ＤＭＲＳが占めるシンボルの数を含み、
2021512547.tif 000122
【００９４】  ここで、上記制御情報伝送リソースの上限の特定方法の前記実施例のいずれも、該制御情報伝送リソースの上限の特定装置の実施例に適用でき、同様の効果を奏する。
【００９５】  なお、本明細書で説明される多くの機能的な構成要素は、その実現方式の独立性をより特別に強調するために、モジュール／サブモジュールと呼ばれる。
【００９６】  本開示の実施例において、モジュール／サブモジュールは、様々なタイプのプロセッサによって実行されるようにソフトウェアで実現され得る。例えば、１つの認識された実行可能コードモジュールは、オブジェクト、プロセス、または関数として構築され得るコンピュータ命令の１つまたは複数の物理的または論理的ブロックを含み得る。それにもかかわらず、認識されたモジュールの実行可能コードは、物理的に一緒に位置している必要はなく、論理的に一緒に結合されるとモジュールを構成し、該モジュールの指定目的を達成する異なる位置に格納された異なる命令を含んでもよい。
【００９７】  実際に、実行可能コードモジュールは、単一の命令または多数の命令であってもよく、更には、複数の異なるコードセグメントに分散され、異なるプログラムに分散され、及び複数のメモリデバイスにわたって分散されてもよい。同様に、動作データは、モジュール内で認識され得、任意の適切な形態で実現され得、任意の適切なタイプのデータ構造内で編成され得る。動作データは、単一のデータセットとして収集されてもよく、または（異なる記憶デバイス含む）異なる位置に分散されてもよく、少なくとも部分的には、単にシステムまたはネットワーク上の電子信号として存在してもよい。
【００９８】  モジュールがソフトウェアで実現され得る場合、関連した技術におけるハードウェアプロセスのレベルを考慮して、ソフトウェアで実現され得るモジュールは、コストを考慮せずに、当業者が対応するハードウェア回路を組み込んで、対応する機能を達成することができ、前記ハードウェア回路は、従来の超大規模集積（ＶＬＳＩ）回路またはゲートアレイ、ならびに論理チップ、トランジスタなどの関連した技術の半導体または他の個別素子を含む。モジュールはまた、フィールドプログラマブルゲートアレイ、プログラマブルアレイ論理、プログラマブル論理機器などのようなプログラマブルハードウェア機器で実現され得る。
【００９９】  以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021512547.tif 000152
【図２】
2021512547.tif 000153
【図３】
2021512547.tif 000154
【国際調査報告】
2021512547.tif 000155
2021512547.tif 000156
2021512547.tif 000157
2021512547.tif 000158